(57)【要約】【課題】  上部継手の振動が下部継手を介してコンクリートスラブに伝搬しないようにすることで、排水音騒音の低減を図ることを目的とする。【解決手段】  本発明に係る排水管継手は、上部継手２０の胴部２１の下端周縁に形成された下部フランジ２６と、下部継手３０の胴部３１の上端周縁に形成された上部フランジ３６とがパッキン５７を介して複数のボルト５１により連結される構成で、その下部継手２０の胴部２１が集合住宅の上階と下階とを仕切るコンクリートスラブの貫通孔に通される排水管継手であって、上部継手２０の下部フランジ２６、あるいは下部継手３０の上部フランジ３６におけるボルト孔２６ｈ，３６ｈには、そのボルト孔２６ｈ，３６ｈの内周面及び開口周縁を覆う弾性体４０が装着されており、弾性体４０の働きにより、ボルト５１の頭部５１ｈ及び軸部５１ｊは下部フランジ２６、あるいは上部フランジ３６に対して非接触状態に保持されている。【選択図】      図１
2007063908.tif 000002
【特許請求の範囲】
【請求項１】
上部継手の胴部の下端周縁に形成された下部フランジと、下部継手の胴部の上端周縁に形成された上部フランジとがパッキンを介して複数のボルトにより連結される構成で、その下部継手の胴部が集合住宅の上階と下階とを仕切るコンクリートスラブの貫通孔に通される排水管継手であって、
前記上部継手の下部フランジ、あるいは前記下部継手の上部フランジにおけるボルト孔には、そのボルト孔の内周面及び開口周縁を覆う弾性体が装着されており、
前記弾性体の働きにより、前記ボルトの頭部及び軸部は前記下部フランジ、あるいは前記上部フランジに対して非接触状態に保持されていることを特徴とする排水管継手。
【請求項２】
請求項１に記載の排水管継手であって、
弾性体は、
ボルト孔の内周面を覆う筒部と、
前記ボルト孔の開口周縁を覆う鍔部と、
を有していることを特徴とする排水管継手。
【請求項３】
請求項１又は請求項２のいずれかに記載の排水管継手であって、
上部継手の下部フランジ、及び下部継手の上部フランジの双方にボルト孔が形成されており、
前記下部フランジのボルト孔、及び上部フランジのボルト孔に、それぞれ弾性体が装着されており、
前記下部フランジ及び上部フランジのボルト孔に通されたボルトのネジ部には、ナットが螺合されていることを特徴とする排水管継手。
【請求項４】
請求項１又は請求項２のいずれかに記載の排水管継手であって、
上部継手の下部フランジ、あるいは下部継手の上部フランジのいずれか一方にボルト孔が形成されており、他方にボルトのネジ部が螺合される雌ネジ孔が形成されていることを特徴とする排水管継手。
【発明の詳細な説明】
【技術分野】
【０００１】
本発明は、上部継手の胴部の下端周縁に形成された下部フランジと、下部継手の胴部の上端周縁に形成された上部フランジとがパッキンを介して複数のボルトにより連結される構成で、その下部継手の胴部が集合住宅の上階と下階とを仕切るコンクリートスラブの貫通孔に通される排水管継手に関する。
【背景技術】
【０００２】
上記した排水管継手に関する技術が特許文献１に記載されている。
この排水管継手は、図４（Ａ）に示すように、上部受け口１０３及び上部横枝管受け口１０４を備える上部継手１０５と、下部直管１０６及び下部横枝管受け口１０７を備える下部継手１０８とから構成されている。上部継手１０５の下部フランジ１０５ｆと下部継手１０８の上部フランジ１０８ｆとの間には、図４（Ｂ）に示すように、パッキン１０９が挟まれて、その上部継手１０５と下部継手１０８とが非接触状態に保持されている。そして、下部フランジ１０５ｆと上部フランジ１０８ｆとの複数のボルト孔１０５ｈ，１０８ｈにそれぞれボルト１１１が通され、それらのボルト１１１のネジ部にナット１１２が螺合されることで、上部継手１０５と下部継手１０８とが連結される。
【０００３】
【特許文献１】特開２００３−２３２０６２号公報
【発明の開示】
【発明が解決しようとする課題】
【０００４】
上部継手１０５と下部継手１０８からなる排水管継手１００において、上部継手１０５の態様は様々あるが、例えば、減速・旋回ガイドを有するものの場合、上部継手１０５の部分で振動が多く発生する。
上記排水管継手１００によると、上部継手１０５の下部フランジ１０５ｆと下部継手１０８の上部フランジ１０８ｆとの間にパッキン１０９が挟まれて、その上部継手１０５と下部継手１０８とは非接触状態に保持されている。このため、上部継手１０５の振動がパッキン１０９の部分で吸収され、下部継手１０８に伝わり難くなっている。しかし、図４（Ｂ）に示すように、上部継手１０５の下部フランジ１０５ｆと下部継手１０８の上部フランジ１０８ｆとには、それぞれナット１１２とボルト１１１の頭部とが座金１１４を介して密着している。このため、上部継手１０５の振動の一部は、ボルト１１１、ナット１１２等を介して下部継手１０８に伝わるようになる。下部継手１０８に伝わった振動は、集合住宅の上階と下階とを仕切るコンクリートスラブ（図示省略）に伝わり、各々の住宅で騒音として感じるようになる。
【０００５】
本発明は、上記問題点を解決するためになされたものであり、本発明の技術的課題は、上部継手の振動が下部継手を介してコンクリートスラブに伝搬しないようにすることで、排水音騒音の低減を図ることができる排水管継手を提供することである。
【課題を解決するための手段】
【０００６】
上記した課題は、各請求項の発明によって解決される。
請求項１の発明は、上部継手の胴部の下端周縁に形成された下部フランジと、下部継手の胴部の上端周縁に形成された上部フランジとがパッキンを介して複数のボルトにより連結される構成で、その下部継手の胴部が集合住宅の上階と下階とを仕切るコンクリートスラブの貫通孔に通される排水管継手であって、前記上部継手の下部フランジ、あるいは前記下部継手の上部フランジにおけるボルト孔には、そのボルト孔の内周面及び開口周縁を覆う弾性体が装着されており、前記弾性体の働きにより、前記ボルトの頭部及び軸部は前記下部フランジ、あるいは前記上部フランジに対して非接触状態に保持されていることを特徴とする。
【０００７】
本発明によると、上部継手の下部フランジと下部継手の上部フランジとはパッキンにより非接触状態に保持されており、さらに両フランジを連結するボルトは弾性体によりいずれかのフランジと非接触状態に保持されている。このため、上部継手の振動がパッキン及び弾性体で絶縁されるようになり、前記振動が前記ボルト等を介して下部継手に伝わることがない。したがって、上部継手の振動が下部継手を介してコンクリートスラブに伝搬するような不具合が生じない。
【０００８】
請求項２の発明によると、弾性体は、ボルト孔の内周面を覆う筒部と、前記ボルト孔の開口周縁を覆う鍔部とを有していることを特徴とする。このため、ボルト軸部とボルト孔とが接触することがなく、かつ弾性体を容易にボルト孔に装着できるようになる。
請求項３の発明によると、上部継手の下部フランジ、及び下部継手の上部フランジの双方にボルト孔が形成されており、前記下部フランジのボルト孔、及び上部フランジのボルト孔に、それぞれ弾性体が装着されており、前記下部フランジ及び上部フランジのボルト孔に通されたボルトのネジ部には、ナットが螺合されていることを特徴とする。
請求項４の発明によると、上部継手の下部フランジ、あるいは下部継手の上部フランジのいずれか一方にボルト孔が形成されており、他方にボルトのネジ部が螺合される雌ネジ孔が形成されていることを特徴とする。
【発明の効果】
【０００９】
本発明によると、流下する排水が上部継手を通過する際に発生する振動が、下部継手を介してコンクリートスラブに伝搬することがなく、排水音騒音の低減を図ることができる。
【発明を実施するための最良の形態】
【００１０】
［実施形態１］
以下、図１、２に基づいて本発明の実施形態１に係る排水管継手の説明を行う。本実施形態に係る排水管継手はマンション等の集合住宅における排水経路に使用される管継手である。ここで、図１は排水管継手のフランジ部分の拡大縦断面図（図２（Ａ）のIA部拡大縦断面図）等であり、図２は排水管継手の側面図（Ａ図）及び平面図（Ｂ図）である。
【００１１】
＜排水管継手１０の概要＞
本実施形態に係る排水管継手１０は、図２（Ａ）に示すように、集合住宅の上階Ａと下階Ｂとを仕切るコンクリートスラブＣＳの貫通孔Ｃｈに通される構成であり、上階Ａの排水立て管２、第１〜第３排水横枝管３，４，５を下階Ｂの排水立て管２に接続する働きをする。
排水管継手１０は、上部継手２０と下部継手３０とから構成されている。
＜上部継手２０について＞
上部継手２０は、筒状の胴部２１を備えており、その胴部２１の上端部に上流側（上階Ａ）の排水立て管２が接続される上部受け口２２が形成されている。上部受け口２２の内側には、排水立て管２の下端部と上部受け口２２間を水密な状態でシールする略筒状のシール材（図示省略）が嵌め込まれている。また、上部継手２０の胴部２１の側面にはその胴部２１の軸心に対してほぼ直角に汚水用の第１排水横枝管３の端部が挿入接続される第１横枝管受け口２４が形成されている。なお、第１横枝管受け口２４の内側にも前記シール材が嵌め込まれている。
さらに、上部継手２０の胴部２１の下端周縁には、略角形をした下部フランジ２６が形成されており、その下部フランジ２６の角部にボルト孔２６ｈが設けられている（図２（Ｂ）、図１（Ａ）参照）。
【００１２】
＜下部継手３０ついて＞
下部継手３０は、同じく筒状の胴部３１を備えている。胴部３１は、上側の胴部本体３１ｍと、中央のテーパ部３１ｔ、及び下側の直管部３１ｓとから構成されている。胴部本体３１ｍの上端周縁には、上部継手２０の下部フランジ２６と連結される略角形の上部フランジ３６が形成されている。また、胴部本体３１ｍの上部側面には、雑排水用の第２排水横枝管４の端部が挿入接続される第２横枝管受け口３４と、同じく雑排水用の第３排水横枝管３５の端部が挿入接続される第３横枝管受け口３５とが直角に形成されている。なお、第２横枝管受け口３４及び第３横枝管受け口３５の内側にも前記シール材が嵌め込まれている。
また、胴部３１の直管部３１ｓの下端には、下流側（下階Ｂ）の排水立て管２が挿入接続される下端接続部３８が設けられている。
下部継手３０の胴部３１は、図２（Ａ）に示すように、第２横枝管受け口３４、第３横枝管受け口３５より下側の部分がコンクリートスラブＣＳの貫通孔Ｃｈに通される構成であり、直管部３１ｓの下側が下階Ｂ側に突出するようになっている。なお、コンクリートスラブＣＳの貫通孔Ｃｈには、下部継手３０の胴部３１が挿通された後、一般的にモルタルＭ等が埋め戻される。
【００１３】
＜上部継手２０と下部継手３０との連結構造について＞
次に、図１に基づいて、上部継手２０の下部フランジ２６と下部継手３０の上部フランジ３６との連結構造について説明する。
下部フランジ２６のボルト孔２６ｈと上部フランジ３６のボルト孔３６ｈとには、図１（Ａ）に示すように、弾性体４０が嵌め込まれている。弾性体４０は、図１（Ｂ）に示すように、ボルト孔２６ｈ，３６ｈに挿入される円筒部４２と、それらのボルト孔２６ｈ，３６ｈの開口周縁を覆う鍔部４４とから構成されており、その円筒部４２と鍔部４４とが同軸に形成されている。弾性体４０の円筒部４２は、外径寸法がボルト孔２６ｈ，３６ｈの内径寸法とほぼ等しい値に設定されており、長さ寸法がボルト孔２６ｈ，３６ｈの軸方向における長さ寸法のほぼ半分の値に設定されている。なお、弾性体４０の円筒部４２の長さ寸法を、ボルト孔２６ｈ，３６ｈの軸方向の長さ寸法にほぼ等しくすることも可能である。また、弾性体４０の円筒部４２の内径寸法は、ボルト５１の軸部５１ｊを通せるように、その軸部５１ｊの外径寸法とほぼ等しい値に設定されている。さらに、弾性体４０の鍔部４４の外径寸法は、丸座金５３の外径寸法とほぼ等しい値に設定されている。また、弾性体４０の鍔部４４の肉厚寸法は、円筒部４２の肉厚寸法よりも十分大きな値に設定されている。
ここで、弾性体４０の材料としては、例えば、エチレン・プロピレンを主成分とする合成ゴムが使用される。
【００１４】
上部継手２０の下部フランジ２６と下部継手３０の上部フランジ３６とが連結される場合、先ず、下部フランジ２６と上部フランジ３６間にパッキン５７が挟まれ、そのパッキン５７の貫通孔５７ｈが下部フランジ２６、上部フランジ３６のボルト孔２６ｈ，３６ｈに合わせられる。次に、下部フランジ２６、上部フランジ３６のボルト孔２６ｈ，３６ｈにそれぞれ弾性体４０が装着される。この状態で、弾性体４０の鍔部４４に丸座金５３が重ねられ、ボルト５１の軸部５１ｊが丸座金５３、弾性体４０の円筒部４２を介して下部フランジ２６、上部フランジ３６のボルト孔２６ｈ，３６ｈに挿通される。そして、ボルト５１のネジ部５１ｍにナット５５が螺合され、締付けられることで、上部継手２０と下部継手３０との連結が終了する。
【００１５】
＜本実施形態に係る排水管継手１０の長所＞
本実施形態に係る排水管継手１０によると、上部継手２０の下部フランジ２６と下部継手３０の上部フランジ３６とはパッキン５７により非接触状態に保持されている。さらに、ボルト５１の頭部５１ｈ（丸座金５３）、ボルト５１の軸部５１ｊ、及びナット５５（丸座金５３）は、弾性体４０の働きにより、下部フランジ２６及び上部フランジ３６に対して非接触状態に保持されている。このため、上部継手２０の振動がパッキン５７及び弾性体４０で絶縁されるようになり、前記振動がボルト５１等を介して下部継手３０に伝わることがない。したがって、上部継手２０の振動が下部継手３０を介してコンクリートスラブＣＳに伝搬することがなく、排水音騒音の低減を図ることができる。
また、弾性体４０は、ボルト孔２６ｈ，３６ｈの内周面を覆う円筒部４２と、ボルト孔２６ｈ，３６ｈの開口周縁を覆う鍔部４４とを有しているため、弾性体４０を容易にボルト孔２６ｈ，３６ｈに装着できるようになる。
【００１６】
＜変更例＞
なお、本発明は上記実施形態に限定されるものではなく、本発明の要旨を逸脱しない範囲における変更が可能である。例えば、本実施形態では、下部フランジ２６のボルト孔２６ｈと上部フランジ３６のボルト孔３６ｈとの双方に弾性体４０を装着する例を示したが、いずれか一方のボルト孔２６ｈ，３６ｈに弾性体４０を装着するようにしても良い。また、下部フランジ２６と上部フランジ３６との双方にボルト孔２６ｈ，３６ｈを形成する例を示したが、図３に示すように、下部フランジ２６と上部フランジ３６とのいずれか一方（例えば、下部フランジ２６）にボルト孔２６ｈを形成し、他方にボルト５１のネジ部５１ｍが螺合する雌ねじ孔３１ｗを形成することも可能である。
また、弾性体４０の材料として合成ゴムを使用する例を示したが、合成ゴムの代わりに不織布等を使用することも可能である。
【図面の簡単な説明】
【００１７】
【図１】本発明の実施形態１に係る排水管継手のフランジ部分の拡大縦断面図（図２（Ａ）のIA部拡大縦断面図）（Ａ図）、及び弾性体の縦断面図（Ｂ図）である。
【図２】排水管継手の側面図（Ａ図）及び平面図（Ｂ図）である。
【図３】排水管継手のフランジ部分の変更例を表す拡大縦断面図である。
【図４】従来の排水管継手の縦断面図（Ａ図）、及びフランジ部分の拡大縦断面図（Ｂ図）である。
【符号の説明】
【００１８】
２０    上部継手
２６    下部フランジ
２６ｈ  ボルト孔
３０    下部継手
３６    上部フランジ
３６ｈ  ボルト孔
４０    弾性体
４２    円筒部（筒部）
４４    鍔部
５１    ボルト
５１ｈ  頭部
５１ｊ  軸部
５５    ナット
５７    パッキン
【図１】
2007063908.tif 000003
【図２】
2007063908.tif 000004
【図３】
2007063908.tif 000005
【図４】
2007063908.tif 000006